【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
複数のモバイルコンピューティング装置を使用して、航空機との間でコンテンツのやりとりを行う方法であって、
少なくとも１つのコンテンツセットを有するコンテンツサーバにアクセスするステップと、
複数のモバイルコンピューティング装置に関する装置情報にアクセスするステップであって、前記装置情報は、フライト情報、装置タイプ、及び空き記憶容量を含む、前記装置情報にアクセスする前記ステップと、
第１の航空機に転送されるコンテンツセットを、プロセッサを使用して選択するステップと、
前記プロセッサが前記コンテンツを暗号化し、前記選択されたコンテンツセットを、コンテンツの２つ以上のサブセットに分割するステップであって、前記サブセットのそれぞれは前記コンテンツの一部又は全てを含む、暗号化及び分割する前記ステップと、
前記装置情報に少なくとも部分的に基づいて、前記複数のモバイルコンピューティング装置のセットを選択するステップと、
コンテンツの各サブセットを、前記選択された装置セットのうちの別個のモバイルコンピューティング装置に転送するステップと、
を含む方法。
【請求項２】
前記情報は更に、前記装置に関連付けられたユーザプロファイルを含む、請求項１に記載の方法。
【請求項３】
前記情報は更に、前記装置に関連付けられたユーザの信頼性スコアを含み、前記信頼性スコアは、そのユーザによるコンテンツ転送の過去の成功回数に少なくとも部分的に基づいて、前記プロセッサによって決定される、請求項１に記載の方法。
【請求項４】
前記転送するステップは、地上無線接続を介して実施される、請求項１に記載の方法。
【請求項５】
前記転送するステップは、無線接続を介して、航空機上で実施される、請求項１に記載の方法。
【請求項６】
前記転送するステップは、有線接続を介して、航空機上で実施される、請求項１に記載の方法。
【請求項７】
コンテンツの第１のサブセットにあるデータが、コンテンツの第２のサブセットにあるデータと少なくとも部分的に重なり合う、請求項１に記載の方法。
【請求項８】
コンテンツの各サブセットを、少なくとも２つの別個のモバイルコンピューティング装置に転送するステップを更に含む、請求項１に記載の方法。
【請求項９】
前記コンテンツは前記別個のモバイルコンピューティング装置に、前記装置にインストールされたソフトウェアアプリケーションにより転送される、請求項１に記載の方法。
【請求項１０】
前記モバイルコンピューティング装置のそれぞれの空き記憶容量を調べるステップと、
前記装置のそれぞれの前記空き記憶容量に基づいて、前記選択されたコンテンツセットを、前記２つ以上の、コンテンツのサブセットに分割するステップと、
を更に含む、請求項１に記載の方法。
【請求項１１】
コンテンツの第１のサブセットがコンテンツの第２のサブセットより大きい、請求項１０に記載の方法。
【請求項１２】
前記ユーザプロファイルに基づいて、前記装置に関連付けられたユーザに褒賞を進呈するステップを更に含む、請求項２に記載の方法。
【請求項１３】
前記褒賞は、前記装置との間でやりとりされたコンテンツの量、又はそのユーザによるコンテンツ転送の成功回数に少なくとも部分的に基づく、請求項１２に記載の方法。
【請求項１４】
前記褒賞は、褒賞金、割引クーポン、機内提供品、座席のアップグレード、優先搭乗、マイレージサービスのポイント、又は景品のくじ引きへの参加を含む、請求項１２に記載の方法。
【請求項１５】
航空機との間でコンテンツのやりとりを行うシステムであって、
少なくとも１つのコンテンツセットを有するコンテンツサーバと、
それぞれがモバイルコンピューティング装置に関連付けられている複数のプロファイルを有する装置サーバであって、前記プロファイルのそれぞれは、前記モバイルコンピューティング装置のユーザ、装置タイプ、及び前記装置の空き記憶容量に関連付けられたフライト情報を含む、前記装置サーバと、
各装置に関連付けられた前記プロファイルに少なくとも部分的に基づいて、（ｉ）前記コンテンツサーバにあるコンテンツセット、及び（ｉｉ）モバイルコンピューティング装置のセットを選択するように構成されたプロセッサと、
を含み、
前記プロセッサは更に、各装置の前記空き記憶容量、転送される前記コンテンツの総サイズ、及び選択された装置の数に基づいて、前記コンテンツセットの複数のサブセットを作成するように構成されており、
前記プロセッサは更に、コンテンツの前記サブセットを暗号化するように構成されており、
前記プロセッサは更に、コンテンツの前記複数のサブセットのそれぞれを、モバイルコンピューティング装置の前記選択されたセットのうちの別個のモバイルコンピューティング装置に転送するように構成されている、
システム。
【請求項１６】
前記プロファイルのそれぞれは更に、そのプロファイルに関して前記モバイルコンピューティング装置に関連付けられているユーザに関する情報を含む、請求項１５に記載のシステム。
【請求項１７】
コンテンツの前記サブセットのそれぞれは、前記コンテンツセットの一部又は全てを含む、請求項１５に記載のシステム。
【請求項１８】
前記複数のサブセットは、前記コンテンツセットの複数のコピーを集合的に含む、請求項１５に記載のシステム。
【請求項１９】
コンテンツの前記複数のサブセットは第１及び第２のサブセットを含み、前記第１のサブセットのサイズが前記第２のサブセットのサイズと異なる、請求項１５に記載のシステム。
【請求項２０】
前記プロセッサは更に、コンテンツの前記サブセットが前記モバイルコンピューティング装置から転送された後に、前記装置のユーザに褒賞を進呈するように構成されている、請求項１５に記載のシステム。
【手続補正２】
【補正対象書類名】明細書
【補正対象項目名】００４９
【補正方法】変更
【補正の内容】
【００４９】
当業者であれば明らかなように、本明細書に記載の発明概念から逸脱しない限り、既述の修正に加えて更なる多くの修正が可能である。従って、本発明対象は、添付の特許請求項の趣旨において制限される以外は制限されないものとする。更に、本明細書及び特許請求項の両方を解釈するに当たって、あらゆる用語が、文脈との一貫性がある中で可能な限り最も広義に解釈されるべきである。特に、「含む（ｃｏｍｐｒｉｓｅｓ）」及び「含んでいる（ｃｏｍｐｒｉｓｉｎｇ）」という語句は、要素、構成要素、又はステップを非排他的に参照するものとして解釈されるべきであり、これは、参照される要素、構成要素、又はステップが、明示的に参照されていない他の要素、構成要素、又はステップとともに存在してよく、或いはそれらとともに利用されてよく、或いはそれらと組み合わされてよいことを意味する。本明細書の特許請求項が、Ａ、Ｂ、Ｃ、…、及びＮから成る群から選択される何らかのもののうちの少なくとも１つを参照する場合、その文言は、その群から、ＡとＮ、或いはＢとＮ等ではない１つだけの要素を要求しているものとして解釈されるべきである。
〔付記１〕
複数のモバイルコンピューティング装置を使用して、航空機との間でコンテンツのやりとりを行う方法であって、
少なくとも１つのコンテンツセットを有するコンテンツサーバにアクセスするステップと、
複数のモバイルコンピューティング装置に関する装置情報にアクセスするステップであって、前記装置情報は、フライト情報、装置タイプ、及び空き記憶容量を含む、前記装置情報にアクセスする前記ステップと、
第１の航空機に転送されるコンテンツセットを、プロセッサを使用して選択するステップと、
前記プロセッサが前記コンテンツを暗号化し、前記選択されたコンテンツセットを、コンテンツの２つ以上のサブセットに分割するステップであって、前記サブセットのそれぞれは前記コンテンツの一部又は全てを含む、暗号化及び分割する前記ステップと、
前記装置情報に少なくとも部分的に基づいて、前記複数のモバイルコンピューティング装置のセットを選択するステップと、
コンテンツの各サブセットを、前記選択された装置セットのうちの別個のモバイルコンピューティング装置に転送するステップと、
を含む方法。
〔付記２〕
前記情報は更に、前記装置に関連付けられたユーザプロファイルを含む、付記１に記載の方法。
〔付記３〕
前記情報は更に、前記装置に関連付けられたユーザの信頼性スコアを含み、前記信頼性スコアは、そのユーザによるコンテンツ転送の過去の成功回数に少なくとも部分的に基づいて、前記プロセッサによって決定される、付記１に記載の方法。
〔付記４〕
前記転送するステップは、地上無線接続を介して実施される、付記１に記載の方法。
〔付記５〕
前記転送するステップは、無線接続を介して、航空機上で実施される、付記１に記載の方法。
〔付記６〕
前記転送するステップは、有線接続を介して、航空機上で実施される、付記１に記載の方法。
〔付記７〕
コンテンツの第１のサブセットにあるデータが、コンテンツの第２のサブセットにあるデータと少なくとも部分的に重なり合う、付記１に記載の方法。
〔付記８〕
コンテンツの各サブセットを、少なくとも２つの別個のモバイルコンピューティング装置に転送するステップを更に含む、付記１に記載の方法。
〔付記９〕
前記コンテンツは前記別個のモバイルコンピューティング装置に、前記装置にインストールされたソフトウェアアプリケーションにより転送される、付記１に記載の方法。
〔付記１０〕
前記モバイルコンピューティング装置のそれぞれの空き記憶容量を調べるステップと、
前記装置のそれぞれの前記空き記憶容量に基づいて、前記選択されたコンテンツセットを、前記２つ以上の、コンテンツのサブセットに分割するステップと、
を更に含む、付記１に記載の方法。
〔付記１１〕
コンテンツの第１のサブセットがコンテンツの第２のサブセットより大きい、付記１０に記載の方法。
〔付記１２〕
前記ユーザプロファイルに基づいて、前記装置に関連付けられたユーザに褒賞を進呈するステップを更に含む、付記２に記載の方法。
〔付記１３〕
前記褒賞は、前記装置との間でやりとりされたコンテンツの量、又はそのユーザによるコンテンツ転送の成功回数に少なくとも部分的に基づく、付記１２に記載の方法。
〔付記１４〕
前記褒賞は、褒賞金、割引クーポン、機内提供品、座席のアップグレード、優先搭乗、マイレージサービスのポイント、又は景品のくじ引きへの参加を含む、付記１２に記載の方法。
〔付記１５〕
航空機との間でコンテンツのやりとりを行うシステムであって、
少なくとも１つのコンテンツセットを有するコンテンツサーバと、
それぞれがモバイルコンピューティング装置に関連付けられている複数のプロファイルを有する装置サーバであって、前記プロファイルのそれぞれは、前記モバイルコンピューティング装置のユーザ、装置タイプ、及び前記装置の空き記憶容量に関連付けられたフライト情報を含む、前記装置サーバと、
各装置に関連付けられた前記プロファイルに少なくとも部分的に基づいて、（ｉ）前記コンテンツサーバにあるコンテンツセット、及び（ｉｉ）モバイルコンピューティング装置のセットを選択するように構成されたプロセッサと、
を含み、
前記プロセッサは更に、各装置の空き領域、転送される前記コンテンツの総サイズ、及び選択された装置の数に基づいて、前記コンテンツセットの複数のサブセットを作成するように構成されており、
前記プロセッサは更に、コンテンツの前記サブセットを暗号化するように構成されており、
前記プロセッサは更に、コンテンツの前記複数のサブセットのそれぞれを、モバイルコンピューティング装置の前記選択されたセットのうちの別個のモバイルコンピューティング装置に転送するように構成されている、
システム。
〔付記１６〕
前記プロファイルのそれぞれは更に、そのプロファイルに関して前記モバイルコンピューティング装置に関連付けられているユーザに関する情報を含む、付記１５に記載のシステム。
〔付記１７〕
コンテンツの前記サブセットのそれぞれは、前記コンテンツセットの一部又は全てを含む、付記１５に記載のシステム。
〔付記１８〕
前記複数のサブセットは、前記コンテンツセットの複数のコピーを集合的に含む、付記１５に記載のシステム。
〔付記１９〕
コンテンツの前記複数のサブセットは第１及び第２のサブセットを含み、前記第１のサブセットのサイズが前記第２のサブセットのサイズと異なる、付記１５に記載のシステム。
〔付記２０〕
前記プロセッサは更に、コンテンツの前記サブセットが前記モバイルコンピューティング装置から転送された後に、前記装置のユーザに褒賞を進呈するように構成されている、付記１５に記載のシステム。